(57)【特許請求の範囲】
【請求項１】
顧客の要求に基づいて、複数の会社の口座間で資金移動を行うプーリングシステムであって、
前記顧客の情報を登録する顧客情報登録手段と、前記顧客情報登録手段に登録された情報に基づいて、前記顧客の口座間の資金集約と資金分配を指示するプーリングエンジンとを備え、
前記顧客情報登録手段は、複数の海外拠点におけるプーリングに参加する会社を登録する会社登録部と、前記会社のプーリングで取り扱う口座が登録される口座登録部と、前記口座登録部に登録された口座から成る複数の口座グループが登録される口座グループ登録部と、前記口座グループごとのプーリングルールを保持するプーリングルール保持部とを有し、
前記口座グループ登録部には、一つの前記口座グループの子口座を他の前記口座グループの親口座に設定することにより、前記複数の口座グループが前記海外拠点間を跨いで階層化され登録され、
前記プーリングルールは、前記海外拠点の業務時間、休業日、及び毎日の口座残高の変動量に基づいた起動条件を含み、
前記プーリングルール保持部は、前記プーリングエンジンに前記プーリングルールを送信し、前記口座グループのプーリングを前記起動条件に基づいて実行させることを特徴とするプーリングシステム。
【請求項２】
前記口座グループ登録部は、前記口座登録部に登録された口座から複数の口座グループを作成し、一つの前記口座グループにおいて一つの口座を親口座とし、他の口座を子口座として登録することを特徴とする請求項１に記載のプーリングシステム。
【請求項３】
前記プーリングルールは、前記口座グループに属する口座の少なくとも一部に優先順位を設定し、前記優先順位の高い口座から順番に、資金不足である口座へ資金を移動させることを特徴とする請求項１又は２に記載のプーリングシステム。
【請求項４】
前記プーリングルールは、前記口座グループに属する口座の各口座残高に比例した資金を、資金不足である口座へ移動させることを特徴とする請求項１から３までのいずれか１項に記載のプーリングシステム。
【請求項５】
前記プーリングルールは、前記口座グループに属する口座の少なくとも一部に優先順位を設定し、前記優先順位の高い口座から順番に、資金不足である口座へ資金を移動させる第１のルールと、
前記第１のルールにより資金移動を行った結果、資金不足である口座へ、前記口座グループに属する口座の前記第１のルールにより資金移動を行った後の各口座残高に比例した資金を移動させる第２のルールとからなることを特徴とする請求項１から４までのいずれか１項に記載のプーリングシステム。
【請求項６】
顧客の情報を登録する顧客情報登録手段と、前記顧客情報登録手段に登録された情報に基づいて、前記顧客の口座間の資金集約と資金分配を指示するプーリングエンジンとを備えたプーリングシステムによりプーリングを行う方法であって、
前記顧客情報登録手段に複数の海外拠点におけるプーリングに参加する会社が登録されるステップと、
前記顧客情報登録手段に前記会社のプーリングで取り扱う口座が登録されるステップと、
前記顧客情報登録手段が、登録された前記口座から成る複数の口座グループを作成して登録するステップと、前記口座グループごとのプーリングルールを保持するステップとを含み、
前記複数の口座グループを作成して登録するステップは、一つの前記口座グループの子口座を他の前記口座グループの親口座に設定することにより、前記複数の口座グループを前記海外拠点間を跨いで階層化して登録し、
前記プーリングルールは、前記海外拠点の業務時間、休業日、及び毎日の口座残高の変動量に基づいた起動条件を含み、
前記プーリングエンジンに前記プーリングルールを送信し、前記口座グループのプーリングを前記起動条件に基づいて実行させることを特徴とするプーリング方法。
【発明の詳細な説明】
【技術分野】
【０００１】
本発明は、企業グループ内で親口座となる統括会社の口座に、企業グループの他の会社から資金を集中させて管理するプーリングシステムおよびプーリング方法に関する。
【背景技術】
【０００２】
従来から、企業グループ内で資金を融通しあうプーリングシステムが知られている。プーリングシステムは、統括会社が金融機関に開設した親口座にグループ各社の資金繰りを集中させ、企業グループ内で資金を融通し合うことにより、企業グループ全体の資金を効率良く管理することを可能とするものである。
【０００３】
例えば、特許文献１には、参加企業の各口座の残高集計額を集計手段が集計し、振替指示手段による振替指示に基づき振替実効手段が、幹事企業Ａの親口座から不足分振替指示である参加企業Ｂの子口座には不足分を振替え、余資分振替指示である参加企業Ｃの子口座から余資分を親口座に振替える。その結果として、幹事企業Ａの親口座残高が赤残の場合は融資を要請し、逆に口座残高が黒残の場合は余資分を運用するように要請するプーリングシステムが開示されている。
【０００４】
また、特許文献２には、資金管理装置がネットワークを介してグループ企業の口座残高を取得し、資金管理装置が作成した資金移動データに従って、各銀行の口座管理サーバが資金を移動するプーリングシステムが開示されている。
【先行技術文献】
【特許文献】
【０００５】
【特許文献１】特開２０００−０２９９７０号公報
【特許文献２】特開２００２−２３０３０８号公報
【発明の概要】
【発明が解決しようとする課題】
【０００６】
特許文献１、２のプーリングシステムでは、統括会社の口座である親口座にプーリングに参加する全ての会社の口座が子口座として従属している。このためプーリングに参加する子口座の数が増えると、プーリングで一度に処理しなければならない口座情報が増加し、システムの負担が増加する。
【０００７】
また、同じ企業グループに属する会社であっても、属する地域、事業内容、扱う資金量などは会社ごとに異なるため、プーリングに参加する会社ごとに、プーリング対象の口座間の資金移動のルールを定めるプーリングルールを調整することが好ましい場合がある。しかし、全ての子口座を一つの親口座で管理するシステムでは、子口座ごとに国や地域ごとの事情に合わせて細かな調整をしようとすると、複雑なプーリングルールを設定し運用しなければならない。
【０００８】
このため、多くの会社が参加できるプーリングシステムでありながら、個々の会社の事情に応じたプーリングの処理を行うプーリングシステムが求められている。
【０００９】
本発明は上記のような課題に鑑み、より柔軟にプーリングの処理を行うことができるプーリングシステムを構築することを目的とする。
【課題を解決するための手段】
【００１０】
上記課題を解決するため、本発明のプーリングシステムは、顧客の要求に基づいて、複数の会社の口座間で資金移動を行うプーリングシステムであって、前記顧客の情報を登録する顧客情報登録手段と、前記顧客情報登録手段に登録された情報に基づいて、前記顧客の口座間の資金集約と資金分配を指示するプーリングエンジンとを備え、前記顧客情報登録手段は、複数の海外拠点におけるプーリングに参加する会社を登録する会社登録部と、前記会社のプーリングで取り扱う口座が登録される口座登録部と、前記口座登録部に登録された口座から成る複数の口座グループが登録される口座グループ登録部と、前記口座グループごとのプーリングルールを保持するプーリングルール保持部とを有し、前記口座グループ登録部には、一つの前記口座グループの子口座を他の前記口座グループの親口座に設定することにより、前記複数の口座グループが前記海外拠点間を跨いで階層化され登録され、前記プーリングルールは、前記海外拠点の業務時間、休業日、及び毎日の口座残高の変動量に基づいた起動条件を含み、前記プーリングルール保持部は、前記プーリングエンジンに前記プーリングルールを送信し、前記口座グループのプーリングを前記起動条件に基づいて実行させることを特徴とする。
【００１１】
前記口座グループ登録部は、前記口座登録部に登録された口座から複数の口座グループを作成し、一つの前記口座グループにおいて一つの口座を親口座とし、他の口座を子口座として登録することを特徴とする。
【００１３】
前記プーリングルールは、前記口座グループに属する口座の少なくとも一部に優先順位を設定し、前記優先順位の高い口座から順番に、資金不足である口座へ資金を移動させることを特徴とする。
【００１４】
前記プーリングルールは、前記口座グループに属する口座の各口座残高に比例した資金を、資金不足である口座へ移動させることを特徴とする。
【００１５】
前記プーリングルールは、前記口座グループに属する口座の少なくとも一部に優先順位を設定し、前記優先順位の高い口座から順番に、資金不足である口座へ資金を移動させる第１のルールと、前記第１のルールにより資金移動を行った結果、資金不足である口座へ、前記口座グループに属する口座の前記第１のルールにより資金移動を行った後の各口座残高に比例した資金を移動させる第２のルールとからなることを特徴とする。
【００１６】
また、本発明のプーリング方法は、顧客の情報を登録する顧客情報登録手段と、前記顧客情報登録手段に登録された情報に基づいて、前記顧客の口座間の資金集約と資金分配を指示するプーリングエンジンとを備えたプーリングシステムによりプーリングを行う方法であって、前記顧客情報登録手段に複数の海外拠点におけるプーリングに参加する会社が登録されるステップと、前記顧客情報登録手段に前記会社のプーリングで取り扱う口座が登録されるステップと、前記顧客情報登録手段が、登録された前記口座から成る複数の口座グループを作成して登録するステップと、前記口座グループごとのプーリングルールを保持するステップとを含み、前記複数の口座グループを作成して登録するステップは、一つの前記口座グループの子口座を他の前記口座グループの親口座に設定することにより、前記複数の口座グループを前記海外拠点間を跨いで階層化して登録し、前記プーリングルールは、前記海外拠点の業務時間、休業日、及び毎日の口座残高の変動量に基づいた起動条件を含み、前記プーリングエンジンに前記プーリングルールを送信し、前記口座グループのプーリングを前記起動条件に基づいて実行させることを特徴とする。
【発明の効果】
【００１７】
本発明によれば、より柔軟にプーリングの処理を行うことができるプーリングシステムを構築することができる。
【図面の簡単な説明】
【００１８】
【図１】実施形態に係るプーリングシステムの基本概念を示す図である。
【図２】実施形態に係るプーリングシステムの機能構成を示す図である。
【図３】口座登録部に登録される情報の具体例を示す図である。
【図４】口座グループ登録部に登録される情報の具体例を示す図である。
【図５】実施形態に係るプーリングエンジンの処理工程を示す図である。
【図６】ゼロバランス方式のプーリングを示す図である。
【図７】ターゲットバランス方式のプーリングを示す図である。
【図８】ネット方式のプーリングを示す図である。
【図９】優先方式と残高比例按分方式を示す図である。
【図１０】優先方式と残高比例按分方式の組み合わせを示す図である。
【発明を実施するための形態】
【００１９】
以下、図を参照して本発明の実施形態について詳細に説明する。以降の図においては、実施形態の説明の全体を通して同じ要素には同じ番号または符号を付している。また、機能構成の図において、機能ブロック間の矢印は、データの流れ方向、又は処理の流れ方向を表す。
【００２０】
（基本概念）
図１は本発明の実施形態におけるプーリングシステムおよびプーリング方法の基本概念を示す図である。本実施形態では、Ａ会社を統括会社とし、プーリングに参加する会社の口座は、顧客が指定する複数の口座グループに分けられている。
【００２１】
それぞれの口座グループには、口座グループ内の子口座の資金の集約と分配を行う親口座が一つ設定されている。図１では統括会社であるＡ会社のａ口座を親口座とし、複数の拠点にあるＢ〜Ｅ会社のｂ〜ｅ口座を子口座とする第１口座グループと、Ａ拠点（例えばシンガポール）内にあるＢ、Ｆ〜Ｊ会社の口座から成る第２〜第４口座グループが形成されている。なお、本発明において、どのような口座を口座グループとして纏めるか、また口座グループを幾つ作成するかは、金融機関とプーリング契約する顧客の要求に基づいて任意に設定できるものであり、図１に限定されるものではない。
【００２２】
本発明のプーリングシステムでは、ある口座グループの親口座が他の口座グループの子口座として設定され登録される。例えば、図１に示す実施形態では、Ｂ会社のｂ口座は第２口座グループの親口座に設定されるとともに、第１口座グループの子口座に設定される。ｂ口座が第１口座グループの子口座に設定されることにより、ｂ口座を親口座とする第２口座グループは、第１口座グループに従属する口座グループとなり階層化されたものとなる。このようにして、図１に示すように階層化された第１〜第４口座グループの従属関係が決まる。
【００２３】
本発明のプーリングシステムでは、プーリングの処理はそれぞれのグループ内で行われる。図１の第１口座グループのプーリングでは、統括会社であり第１口座グループの親口座であるａ口座と第１口座グループの子口座であるｂ〜ｅ口座との間で資金の移動が行われる。また、第２口座グループのプーリングにより、第２口座グループの親口座であるｂ口座と第２口座グループの子口座であるｆ、ｇ口座との間で資金の移動が行われる。したがって、第１口座グループのプーリングと第２口座グループのプーリングが実施されることにより、ｂ口座を介してａ口座とｆ、ｇ口座との間で資金の移動が行われることになる。
【００２４】
このように、階層化された第１〜第４口座グループの各グループについてプーリングを実施することにより、ａ口座とｂ〜ｊ口座との間で直接的または間接的に資金集約、資金分配が可能となる。
【００２５】
一方、第１〜第４口座グループのプーリングは、口座グループごとに設定されたプーリングルールによって行われる。第１口座グループのプーリングは、第１口座グループに属するａ〜ｅ口座を対象とするので、ｆ〜ｊ口座の情報は特に必要としない。また、第１口座グループのプーリングルールは、ａ〜ｅ口座に適用されるルールを考慮するだけでよい。同じように第２〜第４口座グループについても、その口座グループに属する口座の情報を扱うだけでプーリングの処理ができるので、プーリングルールを口座グループごとに調整することができる。
【００２６】
このように、本発明の実施形態のプーリングシステムでは、プーリングに参加する会社の口座からなる口座グループは階層化され、それぞれの口座グループに同一または異なるプーリングルールが設定される。
【００２７】
（システム構成）
本発明の実施形態におけるシステム構成を図２に示す。実施形態におけるプーリングシステムは、顧客情報登録手段１とプーリングエンジン２を備える。顧客情報登録手段１とプーリングエンジン２は、一つのサーバ内に構築しても、複数のサーバをネットワークなどによって接続して構築しても構わない。
【００２８】
顧客情報登録手段１は、企業グループ登録部３、契約情報登録部４、プーリングルール保持部５、会社登録部６、口座登録部７、および口座グループ登録部８を備える。
【００２９】
企業グループ登録部３には、顧客として金融機関とプーリングサービスの契約を結ぶ企業グループが登録される。登録される情報は企業グループ名、統括会社名など企業グループに関する情報である。
【００３０】
契約情報登録部４には、企業グループ登録部３に登録された企業グループと金融機関との、プーリングのサービス契約の内容が登録される。登録される契約情報には、プーリングのサービス契約開始日と終了日、レポート配信方式、利息計算方式、適用する為替レートなどがある。
【００３１】
プーリングルール保持部５には、プーリングエンジン２が資金移動を指図する際のプーリングルールが、口座グループごとに登録される。プーリングルールとしては、プーリングエンジン２の起動条件、起動時間、口座間の資金の移動方向（１Ｗａｙ／２Ｗａｙ）、プーリング方式などの条件が登録される。プーリングルール保持部５は、上記の条件をデータとして保持するだけでなく、プーリングルールを実行するロジック又はそのロジックを実行するプログラム自体を記憶するようにしてもよい。そのようにすることで、プーリングエンジンを修正することなく、プーリングルールの新設や変更に柔軟に対応することができる。
【００３２】
会社登録部６には、プーリングに参加する会社の情報が登録される。口座登録部７には、会社登録部６で登録された会社のプーリングで取り扱う口座情報が登録される。口座情報には、図３に示すように口座名、口座種別、口座番号など勘定系システム１２と連携させるために必要な情報と、プーリングシステムにおいて顧客が指定する口座グループ名、および口座グループにおける役割が親口座か子口座かについての情報が登録される。このとき、例えば図１のｂ口座のように、２つの口座グループに属することが指定される口座は、どちらかの口座グループの親口座に設定される。なお、図３の口座情報の構成はあくまでも一例であって、これ以外の構成であってもよい。
【００３３】
口座グループ登録部８は、口座登録部７に登録されている各口座の、指定された口座グループ名と親口座か子口座かの役割についての情報に基づいて、口座グループに属する口座のリストを作成し、各口座グループの親口座と子口座を設定し登録する。このとき、顧客によって２つの口座グループに属することが指定されている口座は、一つの口座グループでは親口座、別の口座グループでは子口座として登録される。
【００３４】
また、口座グループ登録部８は、作成した口座グループにプーリングルール保持部５に登録されたプーリングルールを割り付ける。口座グループ登録部８に登録される情報の具体例を図４に示す。なお、図４の口座グループ情報の構成はあくまでも一例であって、これ以外の構成であってもよい。
【００３５】
プーリングエンジン２は、設定されたプーリングルールに従って、口座残高情報を取得し、子口座から親口座に移動する資金集約と親口座から子口座に移動する資金分配の額である資金移動額を計算し、資金移動指図を行う。図２に示す実施形態のプーリングエンジン２は、口座残高情報取得部９、資金移動額計算部１０、資金移動指図部１１を有している。プーリングエンジン２が行う処理の手順を図５に示す。
【００３６】
顧客情報登録手段１は、プーリングルール保持部５に第１口座グループのプーリングルールとして登録されている起動条件から、第１口座グループのプーリングを実施するタイミングであると判断すると、プーリングエンジン２にプーリングの開始を指示し（図５のステップＳ１）、プーリングエンジン２は、プーリングルール保持部５および口座グループ登録部８に登録されている、第１プーリングルールおよび第１口座グループの情報を取得する（図５のステップＳ２）。
【００３７】
プーリングエンジン２の口座残高情報取得部９は、入手した第１口座グループに属する口座の情報に基づいて、データ連携システム１３を介して勘定系システム１２から第１口座グループに属する口座の口座残高情報を取得する（図５のステップＳ３）。
【００３８】
資金移動額計算部１０は、取得した口座残高情報と第１プーリングルールに従って、第１口座グループの親口座と各子口座の間で移動する資金額を算出する（図５のステップＳ４）。算出された資金額は、資金移動指図部１１から勘定系システム１２に送信され（図５のステップＳ５）第１口座グループの各口座の資金移動が実行される。
【００３９】
同様に、顧客情報登録手段１は、プーリングルール保持部５に登録された第２プーリングルールから、第２口座グループのプーリングを実施するタイミングであると判断すると、プーリングエンジン２にプーリングの開始を指示し、プーリングルール保持部５および口座グループ登録部８に登録されている、第２プーリングルールおよび第２口座グループの情報がプーリングエンジン２に送られる。
【００４０】
プーリングエンジン２の口座残高情報取得部９は、入手した第２口座グループに属する口座の情報に基づいて、データ連携システム１３を介して勘定系システム１２から口座残高情報を取得し、資金移動額計算部１０が口座残高情報と第２プーリングルールに従って、第２口座グループの親口座と各子口座の間で移動する資金額を算出する。算出された資金額は、資金移動指図部１１から勘定系システム１２に送信され資金移動が実行される。
【００４１】
他の口座グループについてもプーリングを実施するタイミングになると、同じ手順で親口座と子口座の間で資金移動が行われる。プーリングエンジン２は、口座グループごとに口座残高情報を取得し、移動する資金を算出し、資金の移動を指図する。このため企業グループのプーリングに参加する全ての口座情報をプーリングエンジン２が同時に処理する必要はなく、多くの会社がプーリングに参加した場合のプーリングエンジン２の負荷を軽減することができる。また、口座グループごとに異なる様々なバリエーションのプーリングルールを設定することが可能なので、国、地域、顧客の事情に応じた多様な資金移動が実現でき、プーリングルールの変更にも柔軟に対応できる。
【００４２】
プーリングを実施する順序は、プーリングルール保持部５に登録する起動条件によって決めることができるので、常に第１口座グループのプーリングから実施する必要はない。階層化している複数の口座グループに対して、所定の日にプーリングを実施する場合は、下位の階層の口座グループから順にプーリングを実施することが好ましい。親口座と子口座の口座残高はプーリングの実施前後で変わる。上位の階層の口座グループのプーリングを下位の階層の口座グループのプーリングが終了後に行えば、下位の階層の口座グループの資金状況をより正確に上位の階層と口座グループのプーリングに反映することができる。
【００４３】
また、例えば企業グループの拠点ごとに口座グループを作成し、プーリングルールの起動条件を各拠点の金融機関業務時間の終了時と設定すれば、業務終了時間となった拠点から順にプーリングが実施され、拠点ごとの資金管理情報を得ることができる。
【００４４】
さらに、拠点ごとに口座グループを作成すれば、拠点の休日または祝日などで金融機関または会社が休業日となる口座を一括して管理することができる。例えば、休業日となる口座のプーリングを実施しない場合、口座グループごとのプーリングルールに休業日を設定すれば、個々の口座に対して休業日を設定するより効率的である。
【００４５】
他にも、例えば毎日の口座残高の変動量が、図１の第１、第２口座グループに対して第３、第４口座グループでは所定の割合より少ない場合、プーリングルール保持部５に登録する起動条件の設定によって、第１、第２口座グループのプーリングは毎日実施し、第３、第４口座グループのプーリングは週末に実施とすることもできる。
【００４６】
（プーリング方式の設定）
本発明の実施形態においては、プーリングルールとしてプーリングエンジン２の起動条件の他に、プーリング方式を口座グループごとに設定することもできる。ここでプーリング方式とは、親口座と子口座の間の資金移動額の算出方式であり、ゼロバランス方式、ターゲットバランス方式、ネット方式などさまざまな方式が考えられる。
【００４７】
ゼロバランス方式は、図６に示すようにプーリング実施前の子口座の残高である測定時残高を、全て親口座に集中させ親口座で資金を管理する方法である。子口座Ｃからはプラス残高の資金が親口座に移動し（資金集中）、測定時残高が資金不足である子口座Ａには親口座から不足分の資金が移動する（資金配分）。プーリング実施後の子口座の残高である着地残高は、ゼロとなるように管理される。企業グループ全体の資金がマイナスの場合は、子口座の残高がゼロになるよう親口座から資金を移動する。結果、プーリング実施後は親口座の残高のみがマイナスとなり、企業グループ全体の不足資金の借り入れを親口座で一括管理する。
【００４８】
ターゲットバランス方式は、図７に示すようにプーリング実施後、子口座の着地残高が設定したターゲット残高となるように、親口座と子口座の間で資金を移動するプーリング方式である。子口座に設定するターゲット残高は、子口座ごとに異なる残高を設定できる。
【００４９】
ネット方式は、図８（ａ）に示すように測定時残高が資金不足となった子口座が発生した場合に、不足資金分に限りプーリングを実施する方式である。例えば２Ｗａｙのプーリングでは、Ｄａｙ１の測定時残高が資金不足である子口座Ｂに子口座Ａの資金から不足額に相当する５０が親口座を介して移動する。Ｄａｙ１に移動した資金５０は、翌日（Ｄａｙ２）に子口座Ｂから親口座を介して子口座Ａに返却される。ネット方式ではＤａｙ１とＤａｙ２に移動する資金はそれぞれ５０である。
【００５０】
一方、ゼロバランス方式で２Ｗａｙのプーリングを行うと、図８（ｂ）に示すように子口座Ｂの不足資金が５０でも、親口座と子口座Ａの間ではＤａｙ１とＤａｙ２それぞれ１００の資金が移動する。ネット方式は子口座の余剰資金を全て親口座に集中し管理することはできないが、プーリングによる移動資金額を不足資金分に限ることにより、資金移動に伴うコストを小さくできるという利点がある。
【００５１】
ネット方式には、口座間の資金移動額の計算方法によって、優先度方式、残高比例按分方式、優先度方式と残高比例按分方式を組み合わせた方式が考えられる。
【００５２】
優先度方式は少なくとも一部の口座に優先度を設定し、優先度の高い口座から順番に資金移動を行うネットプーリング方式である。優先度方式では図９（ａ）のように、測定時残高が資金不足である口座がなければ資金移動は行われない。
【００５３】
測定時残高が資金不足である子口座Ｂがある場合、図９（ｂ）に示すように優先度１に設定されている口座（親口座）から、不足分の資金が移動しプーリング後の子口座Ｂの資金不足は解消する。このとき、他の子口座と親口座の資金移動は行われない。図９（ｃ）は、優先度１の口座（親口座）から測定時残高の全てが移動しても子口座Ｂの資金が足りない場合である。この場合、親口座の測定時残高の全てと優先度２に設定された子口座Ａから不足額に相当する資金が子口座Ｂに移動し、子口座Ｂの資金不足を解消する。
【００５４】
残高比例按分方式は、各口座残高に比例した資金の移動を行う。測定時残高が資金不足である口座がなければ資金移動を行わない点は優先度方式と同じである。図９（ｄ）に示すようにプーリング実行前、子口座Ｂの測定時残高がマイナスであると、残高がプラスである口座の合計額（図９（ｄ）では、親口座の残高と子口座Ａの残高の合計額）に対して各口座残高が占める比率を算出し、子口座Ｂの資金不足額に算出した各口座の比率を掛けた額を移動額とし、子口座Ｂに移動するプーリング方式である。
【００５５】
具体的に図９（ｄ）の場合、プーリング実行前の親口座の残高は２００、子口座Ａの残高は５０である。残高がプラスである親口座と子口座Ａの残高の合計額２５０に対して、親口座の残高の比率は８０％、子口座Ａの比率は２０％である。残高比例按分方式では、子口座Ｂの資金不足額１００に比率８０％を掛けた８０が親口座からの資金移動額、子口座Ｂの資金不足額１００に比率２０％を掛けた２０が子口座Ａからの資金移動額となる。このように、プラスである口座の残高に比例した資金が、プーリングの実行後は親口座とＡ口座からＢ口座に移動し、子口座Ｂの資金不足は解消する。
【００５６】
優先度方式と残高比例按分方式を組み合わせたプーリング方式とすることも可能である。例えば、第１のルールとして優先度方式でプーリングをおこなう。結果資金不足が解消していない子口座がある場合、第２のルールとして第１のルールでプーリング後の各口座の残高に対して、残高比例按分方式でプーリングを実施するようにプーリングルールを設定する。この場合、図１０（ａ）のように、優先順位１の口座（親口座）からの資金移動により子口座Ｂの資金不足が解消する場合は、それ以外の資金移動は行われない。
【００５７】
しかし、例えば図１０（ｂ）のように、プーリング実行前の子口座Ｂの資金不足額が、優先順位の設定された口座（親口座）の残高より大きい場合、まず第１のルールとして優先度方式により優先順位１の親口座の残高全額が子口座Ｂに移動する。しかし、他に優先順位の設定された口座がないため、子口座Ｂは資金不足のまま優先度方式のプーリングは終了する。
【００５８】
そして、優先度方式のプーリングに続いて残高比例按分方式のプーリングで資金の移動が行われる。図１０（ｂ）の例では子口座Ａ、Ｃには優先度が設定されていないため（優先度なし）、優先度方式の対象にはならない。優先度方式で親口座（優先度１）の資金を移動しても、子口座Ｂは１００の資金不足であるため、第２のルールとして残高比例按分方式により、優先度方式でプーリング後の残高がプラスである子口座Ａと子口座Ｃの合計額を計算し、合計額２００に対して子口座Ａと子口座Ｃの残高が占める比率を、それぞれ７５％と２５％と算出する。そして、子口座Ｂの資金不足額１００の内、７５％が子口座Ａから、２５％が子口座Ｃから子口座Ｂに移動し子口座Ｂの資金不足を解消する。
【００５９】
本発明の実施形態では、口座グループごとにゼロバランス方式、ターゲットバランス方式、ネット方式などいずれの方式でもプーリングルールに採用することができるため、細かな資金運用の設定が可能である。また、プーリングルール保持部５に複数のプーリング方式を保持させておき、条件によって実施するプーリング方式を選択し切り替えるシステムとすることも可能である。例えば期初、期末などの時期、企業グループ全体の資金残高などを条件とし、条件ごとに実施するプーリング方式をプーリングルール保持部５に保持させて切り替えることもできる。
【００６０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００６１】
１        顧客情報登録手段
２        プーリングエンジン
３        企業グループ登録部
４        契約情報登録部
５        プーリングルール保持部
６        会社登録部
７        口座登録部
８        口座グループ登録部
９        口座残高情報取得部
１０      資金移動額計算部
１１      資金移動指図部
１２      勘定系システム
１３      データ連携システム
【図１】
0005959615.tif 000002
【図２】
0005959615.tif 000003
【図３】
0005959615.tif 000004
【図４】
0005959615.tif 000005
【図５】
0005959615.tif 000006
【図６】
0005959615.tif 000007
【図７】
0005959615.tif 000008
【図８】
0005959615.tif 000009
【図９】
0005959615.tif 000010
【図１０】
0005959615.tif 000011